(57)【要約】      （修正有）【課題】表示装置及び自動取引装置を提供する。【解決手段】表示部１２と、光源１１と、前記表示部の表示面側に設けられ、前記表示部からの光及び前記光源からの光を透過する透過層１０と、を備え、前記光源は、前記透過層の端部に設けられる表示装置。【選択図】図５Ａ
2012008700.tif 000002
【特許請求の範囲】
【請求項１】
表示部と、
光源と、
前記表示部の表示面側に設けられ、前記表示部からの光及び前記光源からの光を透過する透過層と、
を備え、
前記光源は、前記透過層の端部に設けられることを特徴とする表示装置。
【請求項２】
前記光源は、前記透過層の厚み方向のうち、前記透過層と重なる範囲に設けられることを特徴とする請求項１記載の表示装置。
【請求項３】
前記光源は、前記透過層の略水平方向から前記透過層に光を照射することを特徴とする請求項１又は２記載の表示装置。
【請求項４】
前記透過層は、前記透過層の表面若しくは裏面の少なくともいずれかに凹凸が設けられることを特徴とする請求項１から３のいずれか１項記載の表示装置。
【請求項５】
前記透過層に設けられる凹凸の領域は、水平領域と傾斜領域とが混在した領域であることを特徴とする請求項４記載の表示装置。
【請求項６】
前記凹凸は、円錐、多角錐、多面体、曲面体の少なくともいずれかの形状であることを特徴とする請求項４又は５記載の表示装置。
【請求項７】
前記凹凸の配置及び大きさの少なくともいずれかにより、文字及び図形の少なくともいずれかを表現することを特徴とする請求項３から６のいずれか１項記載の表示装置。
【請求項８】
前記透過層は、屈折率の異なる多層から成ることを特徴とする請求項１から７のいずれか１項記載の表示装置。
【請求項９】
前記多層は、前記表示部に対して垂直方向に積層されて成ることを特徴とする請求項８記載の表示装置。
【請求項１０】
前記表示部と前記透過層との間に、前記透過層から前記表示部側に出射した光を反射させる反射層が設けられることを特徴とする請求項１から９のいずれか１項記載の表示装置。
【請求項１１】
前記反射層は、半透過シートであることを特徴とする請求項１０記載の表示装置。
【請求項１２】
前記反射層は、遮光フィルタであることを特徴とする請求項１０記載の表示装置。
【請求項１３】
照度検知手段と、
前記照度検知手段により検知された照度に応じて、前記光源の輝度を調整する第１の輝度調整手段と、
を備えることを特徴とする請求項１から１２のいずれか１項記載の表示装置。
【請求項１４】
前記表示部の視野角の広さを調整する指示を受け付ける受付手段と、
前記受付手段で受け付けた指示に応じて、前記表示部及び前記光源のうち少なくともいずれかの輝度を調整することを特徴とする第２の輝度調整手段と、
を備えることを特徴とする請求項１から１３のいずれか１項記載の表示装置。
【請求項１５】
表示部と、
光源と、
前記表示部の表示面側に設けられ、前記表示部からの光及び前記光源からの光を透過する透過層と、
を備え、
前記光源は、前記透過層の端部に設けられることを特徴とする自動取引装置。
【請求項１６】
前記光源は、前記透過層の厚み方向のうち、前記透過層と重なる範囲に設けられることを特徴とする請求項１５記載の自動取引装置。
【請求項１７】
前記自動取引装置の状態に応じて、前記光源による光の照射を制御する制御手段を備えることを特徴とする請求項１５又は１６記載の自動取引装置。
【請求項１８】
前記制御手段は、前記自動取引装置が使用不可の状態である場合は前記光源を消灯し、前記自動取引装置が使用可の状態である場合は前記光源を点灯させる制御を行うことを特徴とする請求項１７記載の自動取引装置。
【請求項１９】
前記制御手段は、前記自動取引装置の状態に応じて、前記光源から照射する光の色を制御することを特徴とする請求項１７又は１８記載の自動取引装置。
【発明の詳細な説明】
【技術分野】
【０００１】
本発明は、表示装置及び自動取引装置に関する。
【背景技術】
【０００２】
昨今、金融機関のＡＴＭ（Ａｕｔｏｍａｔｅｄ  ｔｅｌｌｅｒ  ｍａｃｈｉｎｅ）に代表される自動取引装置は、銀行、駅構内およびコンビニエンスストアなど、多様な場所に設置されている。顧客は、この自動取引装置に表示される表示画面において各種操作を行うことにより、入金、出金および残高照会などの取引を行うことができる。
【０００３】
また、自動取引装置は、セキュリティ上、操作表示画面の視野角が狭く設計される。このため、自動取引装置を操作する顧客（以下、操作者と称す）の後ろや左右等から第三者が表示画面を覗き込んでも、第三者から見た表示画面は暗く、表示内容を視認し難い。
【０００４】
このように表示画面の覗き込みを防止する技術として、操作者側からの視認性を損なうことなく、表示画面の左右側及び向かい側からの覗き込みを防止する覗き見防止体が、特許文献１で開示されている。かかる覗き見防止体は、光透過帯と遮光帯とが交互に配される２つのルーバー層が直交して積層され、一方のルーバー層の遮光帯は他方のルーバー層の表面に対して傾斜する。
【０００５】
しかし、覗き見防止体を実装することが操作者にとって不利益になる場合もある。例えば、覗き見防止体を実装した表示画面は、表示画面を見て操作を行う操作者にとっても多少暗く見え、表示内容が見え難い。また、離れた場所から見える表示画面は暗いため、自動取引装置が使用可能な状態であるかどうかが判断出来ず、操作者は自動取引装置に近付いて表示画面を確認しなければならない。
【０００６】
このような状況に応じて、操作者の存在を検知する手段を設けた自動取引装置が特許文献２で開示されている。かかる自動取引装置は、操作者が居ない場合は表示部の輝度状態を最大に設定し、操作者の存在を検知した場合は表示部の輝度状態を最小に設定する。輝度状態が最大に設定されることで、自動取引装置から離れた場所に居る者は表示画面が発光して見え、これにより、離れた場所からでもその自動取引装置が使用可能であることが分かる旨が特許文献２に開示されている。
【先行技術文献】
【特許文献】
【０００７】
【特許文献１】特開２００７−２１２５０７号公報
【特許文献２】特開２００６−１６４０９１号公報
【発明の概要】
【発明が解決しようとする課題】
【０００８】
しかしながら、上記のような技術には、以下の問題点がある。
【０００９】
上記自動取引装置では、遠くから装置の利用状態を確認できるように、表示部の輝度状態を最大に設定する。しかし、表示部からの光は覗き見防止体（以下、遮光フィルタとも称す）により遮られるため、表示部の最大輝度よりも実際は暗くなり、表示画面は見え難い。したがって操作時に必要な輝度より高い輝度で発光できる表示装置を搭載させなければならない。周囲の照度が高い環境の場合は更に高輝度の表示装置が必要になる。
【００１０】
このように、遮光フィルタで表示部の光を遮光して覗き込みを防止することが求められる反面、遠くから表示部を見て使用可能であることを分かるようにすることが求められるが、上記自動取引装置では、高輝度の表示部を搭載させても遮光フィルタにより光が遮光されてしまう。
【００１１】
また、表示部から照射されて遮光フィルタから漏れる光よりも、周囲の照度が低い場合は、表示部からの光は周囲の光に相殺されない。このため、周囲照度が低い場合は、表示部の表示内容が見えやすいという問題を生じる。
【００１２】
そこで、本発明は、上記問題に鑑みてなされたものであり、本発明の目的とするところは、透過層からの発光の視認性を向上させることが可能な、新規かつ改良された表示装置及び自動取引装置を提供することにある。
【課題を解決するための手段】
【００１３】
上記課題を解決するために、本発明のある観点によれば、表示部と、光源と、前記表示部の表示面側に設けられ、前記表示部からの光及び前記光源からの光を透過する透過層と、を備え、前記光源は、前記透過層の端部に設けられることを特徴とする表示装置が提供される。
【００１４】
前記光源は、前記透過層の厚み方向のうち、前記透過層と重なる範囲に設けられてもよい。
【００１５】
前記光源は、前記透過層の略水平方向から前記透過層に光を照射してもよい。
【００１６】
前記透過層は、前記透過層の表面若しくは裏面の少なくともいずれかに凹凸が設けられでもよい。
【００１７】
前記透過層に設けられる凹凸の領域は、水平領域と傾斜領域とが混在した領域でもよい。
【００１８】
前記凹凸は、円錐、多角錐、多面体、曲面体の少なくともいずれかの形状であってもよい。
【００１９】
前記凹凸の配置及び大きさの少なくともいずれかにより、文字及び図形の少なくともいずれかを表現してもよい。
【００２０】
前記透過層は、屈折率の異なる多層から成ってもよい。
【００２１】
前記多層は、前記表示部に対して垂直方向に積層されて成ってもよい。
【００２２】
前記表示部と前記透過層との間に、前記透過層から前記表示部側に出射した光を反射させる反射層が設けられてもよい。
【００２３】
前記反射層は、半透過シートであってもよい。
【００２４】
前記反射層は、遮光フィルタであってもよい。
【００２５】
前記表示装置は、照度検知手段と、前記照度検知手段により検知された照度に応じて、前記光源の輝度を調整する第１の輝度調整手段と、をさらに備えてもよい。
【００２６】
前記表示装置は、前記表示部の視野角の広さを調整する指示を受け付ける受付手段と、前記受付手段で受け付けた指示に応じて、前記表示部及び前記光源のうち少なくともいずれかの輝度を調整することを特徴とする第２の輝度調整手段と、をさらに備えてもよい。
【００２７】
また、上記課題を解決するために、本発明の別の観点によれば、表示部と、光源と、前記表示部の表示面側に設けられ、前記表示部からの光及び前記光源からの光を透過する透過層と、を備え、前記光源は、前記透過層の端部に設けられることを特徴とする自動取引装置が提供される。
【発明の効果】
【００２８】
以上説明したように本発明によればより効率的に透過層からの発光の視認性を向上させることができる。
【００２９】
また、斜め方向への表示部からの光は、光源からの光により相殺されるため、周囲照度が低い環境でも、斜め方向への表示部からの光を相殺させることができる。
【図面の簡単な説明】
【００３０】
【図１】本発明の実施形態に係る自動取引システムの構成を示す図である。
【図２】比較例に係る自動取引装置の断面図である。
【図３】比較例に係る操作表示部の断面図である。
【図４Ａ】図３の視点Ａから見た操作表示部を示す図である。
【図４Ｂ】図３の視点Ｂから見た操作表示部を示す図である。
【図５Ａ】本発明の実施形態に係る自動取引装置が備える操作表示部の断面図である。
【図５Ｂ】本発明の実施形態に係る光源が透過層の厚み方向のうち透過層に重なる範囲に設けられることを説明するための図である。
【図６】本発明の実施形態に係る操作表示部の変形例を示す断面図である。
【図７】本発明の実施形態に係る操作表示部の外観斜視図である。
【図８】本発明の実施形態に係る自動取引装置の断面図である。
【図９Ａ】図８の視点Ａから見た操作表示部を示す図である。
【図９Ｂ】図８の視点Ｂから見た操作表示部を示す図である。
【図１０】本発明の実施形態に係る凹凸が設けられた透過層を説明するための断面図である。
【図１１Ａ】本発明の実施形態に係る透過層の一例を示す斜視図である。
【図１１Ｂ】本発明の実施形態に係る透過層の一例を示す斜視図である。
【図１２】本発明の実施形態に係る透過層の変形例を示す断面図である。
【図１３Ａ】本発明の実施形態に係る透過層に設ける凹凸の一例を示す断面図である。
【図１３Ｂ】本発明の実施形態に係る透過層に設ける凹凸の一例を示す断面図である。
【図１４Ａ】本発明の実施形態に係る透過層における、光源からの光の光路の一例を示す断面図である。
【図１４Ｂ】図１４Ａに示す透過層の凹凸の傾斜角度（θ２）について説明するための図である。
【図１５】本発明の実施形態に係る透過層の断面図である。
【図１６】本発明の実施形態に係る反射層の一例として半透過シートを備える操作表示部の断面図である。
【図１７】本発明の実施形態に係る反射層の一例として遮光フィルタを備える操作表示部の断面図である。
【図１８】本発明の実施形態に係る黒抜き文字を説明するための図である。
【図１９】本発明の実施形態に係る自動取引装置のブロック構成図である。
【図２０Ａ】比較例に係る操作表示部の断面図である。
【図２０Ｂ】比較例に係る操作表示部の断面図である。
【図２０Ｃ】図２０Ａに示す視点Ａから見える操作表示部１０１を示す図である。
【図２０Ｄ】図２０Ｂに示す視点Ａから見える操作表示部１０１を示す図である。
【図２１】本発明の実施形態に係る自動取引装置のブロック構成図である。
【図２２】本発明の実施形態に係る操作表示部の断面図である。
【図２３】本発明の実施形態に係る自動取引装置のブロック構成図である。
【発明を実施するための形態】
【００３１】
以下に添付図面を参照しながら、本発明の好適な実施の形態について詳細に説明する。なお、本明細書及び図面において、実質的に同一の機能構成を有する構成要素については、同一の符号を付することにより重複説明を省略する。
【００３２】
本明細書において、表示装置とは広く表示部を有する装置を称す。以下の実施形態においては、一例として自動取引装置を用いて説明するが、例えば、携帯電話、パーソナルコンピュータ、ＰＤＡ（Ｐｅｒｓｏｎａｌ  Ｄｉｇｉｔａｌ  Ａｓｓｉｓｔａｎｔｓ）等の情報処理装置も表示装置に含まれる。また、自動取引装置や情報処理装置に部品として組み込まれる表示部周辺のユニットも表示装置に含まれる。
【００３３】
＜１．自動取引システムの構成＞
まず、図１を参照し、本発明の実施形態による自動取引システムの構成を説明する。
【００３４】
図１は、本発明の実施形態に係る自動取引システムの構成を示す図である。図１に示したように、本発明の実施形態による自動取引システムは、自動取引装置１Ａ、１Ｂ、・・・１Ｎと、通信回線２と、ホストコンピュータ３と、から構成される。
【００３５】
自動取引装置１Ａは、銀行や駅構内などの多様な場所に設置され、顧客が所望する取引を実行する。具体的には、自動取引装置１Ａが備える操作表示部４Ａは、顧客操作を誘導する表示画面を表示する機能と、操作入力を受け付ける機能とを兼用する。操作表示部４Ａは、操作入力を受け付ける機能として、例えば、画面への接触を検知して入力を受け付けるタッチパネルを実装してもよい。
【００３６】
さらに、自動取引装置１Ａは、硬貨入出金口５Ａ、紙幣入出金口６Ａ、通帳挿入返却口７Ａ、カード挿入返却口８Ａ、を備えてもよい。硬貨入出金口５Ａは、硬貨が投入又は排出される開口部である。紙幣入出金口６Ａは、紙幣が投入又は排出される開口部である。硬貨入出金口５Ａ及び紙幣挿入返却口６Ａには、図示しない駆動部によって動作されるシャッタが設けられる。通帳挿入返却口７Ａは、取引に使用する通帳が挿入又は排出される部分である。カード挿入返却口８Ａは、取引に使用するカードが挿入又は排出される部分である。
【００３７】
通帳挿入返却口７Ａから挿入された通帳は、出金／入金記録の印字処理や、通帳の表紙に設けられた磁気ストライプ内の記憶情報の読み取りが行われる。カード挿入返却口８Ａから挿入されたカードからは、顧客情報が読み出される。
【００３８】
自動取引装置１Ａ〜１Ｎは、実質的に同一の機能構成を有する。以下、これらを特に区別する必要がないため、単に自動取引装置１と称す。
【００３９】
また、自動取引装置１は、通信回線２を介してホストコンピュータ３と接続される。自動取引装置１は、表示画面において顧客により選択された取引を、ホストコンピュータ３との間で必要な情報を送受信することにより実行する。
【００４０】
例えば、自動取引装置１は、顧客により入力された暗証番号の検証をホストコンピュータ３に要求したり、顧客の預金情報をホストコンピュータ３から受信したり、顧客による入金金額または出金金額をホストコンピュータ３に送信したりする。
【００４１】
ホストコンピュー３は、顧客情報を管理する。顧客情報としては、口座番号、暗証番号、氏名、住所、年齢、生年月日、電話番号、職業、家族構成、年収、預金情報、および行動履歴情報などが挙げられる。
【００４２】
ここで、預金情報は、顧客の預金に関する情報であり、例えば顧客の普通預金、定期預金、外貨預金、有価証券、投資信託、保険商品などの種類および残高に関する情報を含んでもよい。
【００４３】
また、ホストコンピュータ３は、通信回線２を介して各自動取引装置から依頼された取引を制御する。さらに、ホストコンピュータ３は、通信回線２を介して各自動取引装置の使用状態を制御することも可能である。各自動取引装置の使用状態の制御については、第６の実施形態で述べる。
【００４４】
上記の自動取引装置１において、覗き見防止のために操作表示部４に単純に遮光フィルタを設けると、以下の比較例で説明するような問題が生じる。
【００４５】
［比較例１］
図２〜図４を参照し、比較例に係る操作表示部１０１を備えた自動取引装置１００について説明する。
【００４６】
図２は、比較例に係る自動取引装置１００の断面図である。通常、利用者は自動取引装置１００の正面に立ち、操作表示部１０１を視点Ａから見て操作する。一方、自動取引装置１００から離れた場所から操作表示部１０１を見る場合は、利用者の視点は視点Ｂとなる。
【００４７】
図３は、比較例に係る操作表示部１０１の断面図である。図３に示すように、操作表示部１０１は、表示部１０４と、遮光フィルタ１０３と、保護板１０２が積層して成る。図３中の実線の矢印で示すように、表示部１０４から正面（視点Ａ）に照射する光は遮光フィルタの影響を受けず、遮光フィルタを通過し、視点Ａに届く。これにより、利用者が視点Ａから操作表示部１０１を見ると、図４Ａに示すように操作表示部１０１の表示内容を視認出来る。
【００４８】
一方、図３中の実線から破線に変わる矢印で示すように、表示部１０４から斜め方向（視点Ｂ）に照射する光は遮光フィルタの影響を受け、遮光フィルタに遮光される。これにより、利用者が視点Ｂから操作表示部１０１を見ると、図４Ｂに示すように操作表示部１０１の表示内容を視認出来ない。
【００４９】
上述した比較例に係る操作表示部１０１は、覗き見防止という観点からは効果がある。しかし一方で、自動取引装置１００から離れた場所から操作表示部１０１を見る利用者は、操作表示部１０１が暗いため、自動取引装置１００が動作していないと思い、自動取引装置１００に近付くのをためらってしまうという問題が生じる。
【００５０】
そこで、上記事情を一着眼点にして本発明の実施形態を創作するに至った。本発明の実施形態によれば、自動取引装置から離れた場所に居る利用者は、自動取引装置に設けられる操作表示部を見た場合に、操作表示部が発光して見える。特に、操作表示部が発光して見えるよう設けた光源から照射された光は、遮光フィルタに代表される覗き見防止体に遮られることがないため、より効率的に操作表示部を発光させることが出来る。
【００５１】
また、本発明の実施形態によれば、自動取引装置から離れた場所に居る利用者からは、操作表示部が発光して見えるのみで、表示内容までは視認し難い。したがって、自動取引装置を操作する利用者の後ろや左右の離れた場所から操作表示部を覗き込む第三者は、操作表示部が発光して見えるのみで、表示内容は見え難い。このように、本発明の実施形態によれば、覗き見防止効果も奏する。以下、このような効果を奏する本発明の第１から第８の実施形態について詳細に説明する。
【００５２】
＜２．第１の実施形態＞
［操作表示部４の構成］
本実施形態に係る操作表示部４の構成について図５Ａを参照して説明する。図５Ａは、本実施形態に係る自動取引装置１が備える操作表示部４の断面図である。図５Ａに示すように、操作表示部４は、透過層１０と、光源１１と、表示部１２とから構成される。なお、図５Ａでは、各構成が所定の間隔を空けて示されるが、これは主要な構成について明示するための便宜上の表現に過ぎない。以下、操作表示部４の構成について説明する同様の図面において同じである。
【００５３】
透過層１０は、図５Ａに示すように、表示部１２の表示画面側（表示部１２の上面側）に積層される。透過層１０は、導光板のように光を伝播するものであればよい。また、透過層１０は、接触を検知して表示画面上の位置を指定するタッチパネルや、表示部１２を保護する保護板を兼用してもよい。
【００５４】
次に、光源１１について説明する。光源１１は透過層１０の端部に設けられる。例えば、図５Ａ及び図５Ｂに示すように、透過層１０の厚み方向のうち、透過層１０と重なる範囲（厚み幅ｈ）に光源１１を設けてもよい。なお、図５Ｂでは、光源１１の大きさが厚み幅ｈと全て重なるが、光源１１の配置はこれに限定されることはない。例えば、光源１１の一部が厚み幅ｈと重なる配置でもよい。
【００５５】
これにより、光源１１は、透過層１０の略水平方向から透過層１０の側面に光を照射することが可能となる。このように、透過層１０の端部に設けられ、透過層１０の側面に光を照射する光源１１は、エッジライトとも称される。
【００５６】
光源１１は、具体的には、蛍光管やＬＥＤ（Ｌｉｇｈｔ  Ｅｍｉｔｔｉｎｇ  Ｄｉｏｄｅ）等の発光部品で構成してもよい。また、図５Ａおよび図５Ｂに示す光源１１は、透過層１０側のみ開いた反射カバーを有する。これにより、光源１１から透過層１０側以外に照射された光が、反射カバーで反射し、透過層１０側に照射される。なお、光源１１は反射カバーを有するものに限られない。
【００５７】
表示部１２は、自動取引装置１で行い得る取引の操作のために要する取引操作画面を表示する。取引操作画面は、例えば、「お引き出し」「お預け入れ」「通帳記入」「残高照会」「お振込み」等の、自動取引装置１で行い得る取引メニューを提示するメニュー画面や、選択された取引を行うためにカードの挿入や通帳の挿入を促す誘導画面、取引情報を入力する入力画面が挙げられる。表示部１２は、例えばＬＣＤ（Ｌｉｑｕｉｄ  Ｃｒｙｓｔａｌ  Ｄｉｓｐｌａｙ；液晶表示装置）でもよい。
【００５８】
なお、光源１１の配置位置は図５Ａ及び図５Ｂに限定されない。透過層１０の端部に設けられる光源１１の配置は、例えば図６に示す配置も考え得る。図６に示すように、光源３１は、透過層３０内端部に設けられてもよい。このように設けられた光源３１も、透過層３０の略水平方向から光を照射することが出来る。
【００５９】
［操作表示部４の作用］
次に、透過層１０の表面１５から出射する光の角度と輝度の関係について図７を参照して説明する。図７は、本実施形態に係る操作表示部４の外観斜視図である。
【００６０】
まず、透過層１０と略平行に設けられる表示部１２から照射され、透過層１０の表面１５から出射する光は、正面方向への輝度が高く、斜め方向への輝度は小さい。すなわち、表示部１２からの光は、図７に示す法線からの角度θが大きいほど輝度が低く、法線からの角度θが小さいほど輝度が高くなる。
【００６１】
一方、透過層１０の端部に設けられる光源１１から照射され、透過層１０の表面１５から出射する光は、法線からの角度θが大きいほど輝度が高く、法線からの角度θが小さいほど輝度が低くなる。
【００６２】
したがって、法線からの角度θが小さい場所では、表示部１２から照射される光の方が、光源１１から照射される光よりも輝度が高くなる。つまり、法線からの角度θが小さい場所では、表示部１２から照射される光の方が、主に認識される。したがって、法線からの角度θが小さい場所（正面方向）からは、利用者は表示部１２から照射される光を主に認識するため、表示部１２の表示内容が見える。
【００６３】
一方、法線からの角度θが大きい場所では、表示部１２から照射される光の方が、光源１１から照射される光よりも輝度が低くなる。つまり、法線からの角度θが大きい場所では、光源１１から照射される光の方が、主に認識される。したがって、法線からの角度θが大きい場所（斜め方向）からは、利用者は光源１１から照射される光を主に認識するため、表面１５は発光して見え、表示部１２の表示内容は見え難い。
【００６４】
次に、上述した法線からの角度θが大きい／小さい場所からの、操作表示部４の見え方について、図８及び図９を参照して説明する。
【００６５】
図８は、本発明の実施形態に係る自動取引装置１の断面図である。正面からの角度θが小さくなる場合として、利用者が自動取引装置１の前に立ち、視点Ａから操作表示部４を見た場合が想定される。正面からの角度θが大きくなる場合として、利用者が自動取引装置１から離れた場所、視点Ｂから操作表示部４を見た場合が想定される。
【００６６】
図８に示す視点Ａ、視点Ｂから見た操作表示部４を、図９Ａ、図９Ｂにそれぞれ示す。視点Ａから見た場合、図９Ａに示すように、利用者は表示内容を認識することが出来る。
【００６７】
一方、視点Ｂから見た場合、図９Ｂに示すように、利用者は操作表示部４が発光して見える。視点Ｂは、上述したように、利用者が自動取引装置１から離れた場所から見た場合を想定した視点である。つまり、自動取引装置１から離れた場所に居る利用者から見ると、操作表示部４は発光して見えるため、利用者は、自動取引装置１が動作中（待機状態、使用可能とも言える）であることが分かる。
【００６８】
ここで、自動取引装置１から離れた場所から見る操作表示部４は、図９Ｂに示すように発光した状態であり、表示内容までは視認し難い。したがって、自動取引装置１を操作する利用者の後ろや左右から第三者が操作表示部４を覗き込んでも（この場合、第三者の視点は視点Ｂに示すような位置にある）、第三者は表示内容が視認し難い。このように、本実施形態に係る操作表示部４は、覗き見防止効果も奏する。
【００６９】
本実施形態に係る操作表示部４では、法線からの角度によって、表示部１２からの光の輝度と透過層１０からの光の輝度の高さが変わる。したがって、上述した特許文献２の自動取引装置のように、利用者の有無によって表示部１２の輝度の調整をする必要はない。また、覗き見防止効果を奏する光源１１からの光は、覗き見防止体で遮られることがないため、より効率的に操作表示部４を発光させることが出来る。
【００７０】
＜３．第２の実施形態＞
次に、本発明の第２の実施形態に係る操作表示部４について説明する。本実施形態では、第１の実施形態に係る操作表示部４を構成する透過層１０の表面（上面とも称す）若しくは裏面（下面とも称す）の少なくともいずれかに凹凸が設けられる。透過層に設けられる凹凸の領域は、例えば水平領域と傾斜領域とが混在した領域である。以下、図１０から図１４を参照して本実施形態について具体的に例示する。
【００７１】
［第１の凹凸例］
図１０は、本実施形態に係る凹凸が設けられた透過層１１０を説明するための断面図である。図１０に示すように、透過層１１０の表面に凹凸が設けられる。
【００７２】
さらに、図１０では、光源１１から入射する光路の一例を破線で、表示部１２から入射する光路の一例を実線で示す。光源１１は透過層１０の略水平方向から透過層１０に対して光を照射する旨を上述したが、光源１１から照射された光が透過層１０に入射する角度は、具体的には図１０に例示するように様々であることは言うまでもない。
【００７３】
透過層１１０に設けられた凹凸は、傾斜領域１６０と水平領域１７０とが混在して成る。光源１１から照射され、透過層１１０の中を反射して伝播する光は、主に透過層１１０の表面に設けられた傾斜領域１６０で入射角が深くなり、傾斜領域１６０から出射する。
【００７４】
表示部１２から照射され、透過層１１０の中を通過する光は、主に透過層１１０の表面に設けられた水平領域１７０で入射角が深くなり、水平領域１７０から出射する。
【００７５】
このように、光源１１からの光を主に出射する傾斜領域１６０が設けられることにより、操作表示部４全体で、光源１１からの光がより多く出射する。したがって、正面からの角度θが大きい斜め方向に対する輝度を、より高くすることが出来る。斜め方向に対する輝度を高くすることにより、例えば、より遠くから自動取引装置１を見た利用者でも操作表示部４の発光を認識することが出来る。
【００７６】
次に、図１０に示す透過層１１０の形状パターンを図１１Ａ及び図１１Ｂにそれぞれ示す。
【００７７】
図１１Ａに示す透過層１１１は、２つの傾斜面１６１および水平面１７１が繰り返される形状パターンである。このような形状パターンでは、傾斜面１６１から主に光源１１の光が出射する。光源１１からの光は斜め方向に対して輝度が高くなるため、傾斜面１６１に対向する方向（図１１Ａ中の矢印で示す方向）からは、操作表示部４が発光して見える。
【００７８】
また、透過層１１０の他の形状パターンを図１１Ｂに示す。図１１Ｂに示す透過層１１２は、円錐１６２（傾斜領域）を水平領域１７２に無数に設けた形状パターンである。なお、円錐１６２の配置や大きさは図１１Ｂに示した例に限定されない。
【００７９】
図１１Ｂに示すようなパターンの場合、光源１１からの光の輝度がどの方向に対しても高くなるため、図１１Ｂ中の８つの矢印で示すように、どの方向から見た場合でも操作表示部４が発光して見える。
【００８０】
次に、図１０に示す透過層１１０の変形例である透過層１１３へ入射した光源１１からの光の光路を示す図１２を参照して、傾斜領域の傾斜角度（θ２）について説明する。
【００８１】
図１２に示すように、光源１１から照射された光は、透過層１１３の下面で反射して、透過層１１３の上面に設けられた傾斜領域から出射する。この場合の、下面への入射角θ４と、傾斜領域の傾斜角θ２と、傾斜領域への入射角θ１との関係は、θ４＝θ１＋θ２である。つまり、θ１＜θ４となる。傾斜領域への入射角θ１は、反射角θ４よりも小さく、θ１の方が深いと言える。θ１は、反射した光が傾斜領域から出射する角度である。
【００８２】
θ４＝θ１＋θ２の関係を有することから、傾斜領域の傾斜角θ２を調整することで、相対的にθ１の大きさが調整される。例えば、傾斜領域の傾斜角θ２を大きくすることで、相対的に傾斜領域への入射角θ１を小さく、すなわち深くし、光源１１からの光を傾斜領域から出射させることが出来る。
【００８３】
以上、第１の凹凸例の具体的な形状についていくつか示したが、本実施形態に係る凹凸の形状は、これに限られることはない。例えば、多角錐、多面体、曲面体、でもよい。一例として図１３Ａに多面体（水平領域１７４と傾斜領域１６４から構成される）の形状の凹凸を有する透過層１１４を示す。また、一例として、図１３Ｂに曲面体（水平領域１７５と傾斜領域１６５から構成される）の形状の凹凸を有する透過層１１５を示す。
【００８４】
また、透過層に設ける凹凸領域はこのような様々な形状が混在した領域でもよく、例えばすりガラスのような拡散板でもよい。
【００８５】
［第２の凹凸例］
次に、裏面に凹凸が設けられた透過層１１６における、光源１１からの光の光路について図１４Ａ及び図１４Ｂを参照して説明する。
【００８６】
図１４Ａは、裏面に凹凸が設けられた透過層１１６における、光源１１からの光の光路の一例を示す断面図である。図１４Ａに示すように、透過層１１６に設けられた凹凸で反射した光は、透過層１１６の表面から出射する。
【００８７】
図１４Ｂは、図１４Ａに示す透過層１１６の凹凸の傾斜角度（θ２）について説明するための断面図である。図１４Ｂに示すように、光源１１から照射され、透過層１０ｂの表面で反射した光は、透過層１１６の裏面に設けられた傾斜領域で反射し、透過層１１６の表面から出射する。この場合の、裏面への入射角θ１と、傾斜領域の傾斜角θ２と、表面から出射する場合の表面への入射角θ３との関係は、θ３＝θ１−θ２である。つまり、θ３＜θ１となる。表面への入射角θ３は、反射角θ１よりも小さく、θ３の方が深いと言える。θ３は、反射した光が表面から出射する角度である。
【００８８】
θ３＝θ１−θ２の関係を有することから、傾斜領域の傾斜角θ２を調整することで、相対的にθ１の大きさが調整される。例えば、傾斜領域の傾斜角θ２を大きくすることで、相対的に傾斜領域への入射角θ３を小さく、すなわち深くし、光源１１からの光を傾斜領域から出射させることが出来る。
【００８９】
＜４．第３の実施形態＞
次に、本発明の第３の実施形態に係る操作表示部４について説明する。本実施形態では、操作表示部４を構成する透過層が、屈折率の異なる多層から成る。
【００９０】
屈折率の異なる多層から成る透過層の一例を図１５に示す。図１５は、本実施形態に係る透過層１１７の断面図である。透過層１１７は、屈折率の異なる２つの層が表示部１２に対して垂直方向に積層されて成る。
【００９１】
図１５に示す破線は、光源１１から照射される光の光路の一例である。図１５に示す実線は、表示部１２から照射される光の光路の一例である。光源１１から照射された光は、透過層１１７の各層で屈折し、表面から出射する。
【００９２】
本実施形態により、光源１１からの光をより多く出射させることが出来る。
【００９３】
＜５．第４の実施形態＞
次に、本発明の第４の実施形態に係る操作表示部４について説明する。本実施形態では、透過層１０と表示部１２との間に、反射部が設けられる。反射部を設けることにより、透過層１０から表示部１２側に出射した光を反射させて、透過層１０の表面から出射させる。これにより、光源１１からの光をより多く出射させることが出来る。
【００９４】
本実施形態に係る反射層は、例えば半透過シート１３でもよい。本実施形態に係る反射層の一例として半透過シート１３を備える操作表示部の断面図を、図１６に示す。半透過シート１３の透過率は、完全透過より低い透過率であればよい。半透過シート１３を設けることにより表示部１３からの光が多少遮られるが、覗き見防止効果が発揮され得る。
【００９５】
光源１１からの光の光路は図中の破線で示す。図１６に示すように、光源１１から照射され、透過層１０の表示部１２側に出射した光は、半透過シート１３で反射し、再び透過層１０を透過して表面から出射する。これにより、光源１１からの光をより多く出射させることが出来る。
【００９６】
また、他の反射層の例としては、例えば遮光フィルタ１４でもよい。本実施形態に係る反射層の一例として遮光フィルタ１４を備える操作表示部の断面図を図１７に示す。遮光フィルタ１４を設けることにより表示部１３からの光が多少遮られるが、覗き見防止効果が発揮され得る。
【００９７】
光源１１からの光の光路は図中の破線で示す。図１７に示すように、光源１１から照射され、透過層１０の表示部１２側に出射した光は、遮光フィルタ１４で反射し、再び透過層１０を透過して表面から出射する。これにより、光源１１からの光をより多く出射させることが出来る。
【００９８】
上記いずれの反射層においても、光源１１から照射される光を遮ることはなく、効率的に操作表示部４を発光させることが出来る。
【００９９】
以上、第２の実施形態から第４の実施形態を用いて本発明の実施形態に係る操作表示部４について説明したが、本発明の実施形態に係る操作表示部４は、これら第２の実施形態から第４の実施形態の構成を組み合わせた構成としてもよい。
【０１００】
＜６．第５の実施形態＞
次に、本発明の第５の実施形態に係る操作表示部４について説明する。上記各実施形態に係る操作表示部４を利用者が離れた場所から見ると発光して見えるのみで、表示内容は見え難い。この場合、自動取引装置１が異常状態で表示内容が写っていないと利用者に認識されることも考えられる。そこで、本実施形態では、表示内容とは別の表示を操作表示部４から離れた場所に居る利用者に見えるようにする。これにより、自動取引装置１が正常状態であることを利用者に認識させることが出来る。
【０１０１】
具体的には、上記各実施形態に係る操作表示部４を構成する透過層１０の表面に凹凸を設け、文字や図を表現する。一例として、文字以外の領域に凹凸、例えば図１１Ｂに示す三角錐１６Ｂを設けることで、三角錐１６Ｂのない領域（文字の領域）は暗くなり、黒抜き文字として認識される。図１８は、本実施形態に係る黒抜き文字を説明するための図である。自動取引装置１から離れた場所から自動取引装置１に設けられた操作表示部４を見ると、透過層１０の表面が発光して見えるが、凹凸のない領域は、出射する光の輝度が低く、暗く見えるため、図１８に示すように、「いらっしゃいませ」の文字を認識することが出来る。
【０１０２】
また、一例として、文字の領域に凹凸を設け、文字以外の領域には凹凸を設けないことで、図１８に示す例とは逆に、文字の領域が明るく見えるため、白抜き文字として表現することも可能である。
【０１０３】
また、上記では、凹凸を設ける／設けないで文字を表現する例を説明したが、透過層１０の表面全体に凹凸を設けて文字を表現することも可能である。具体的には、凹凸の大きさや、凹凸の配置間隔（密集領域、散在領域）、傾斜角度の調整により、相対的に明るく見える領域と暗く見える領域とを設け、文字を表現してもよい。
【０１０４】
＜７．第６の実施形態＞
次に、本発明の第６の実施形態に係る自動取引装置１ａについて説明する。上記各実施形態では、離れた場所から操作表示部４を見た利用者は、操作表示部４の発光を認識することで（第５の実施形態の場合はさらに文字や図を認識することで）、自動取引装置１が動作中であることが分かる。ここで、自動取引装置１の状態は、準備中、取扱中止、取扱可能（使用可能、取引可能とも称す）等、様々ある。したがって、少なくとも正常動作中で待機中であることは認識出来ても、準備中や取扱中止の場合も使用可能と誤認してしまう場合がある。
【０１０５】
そこで、本実施形態では、自動取引装置１の装置状態に応じて、光源１１を制御する。以下、本実施形態について図１９を参照して説明する。
【０１０６】
図１９は、本実施形態に係る自動取引装置１ａの構成を示すブロック図である。図１９に示すように、自動取引装置１ａは、装置状態判断部２０、制御部２１、光源１１から構成される。装置状態判断部２０は、装置の状態が、準備中、取扱中止等の使用不可の状態であるか、使用可能の状態であるかを判断する。装置の状態は装置自身で制御される他、図１に示すように通信回線２を介してホストコンピュータ３から制御されることも考え得る。制御部２１は、装置状態判断部２０の判断結果、すなわち装置状態に応じて、光源１１による光の照射を制御する。制御部２１による制御の具体的な内容について以下説明する。
【０１０７】
例えば、制御部２１は、自動取引装置が使用不可の状態である場合は光源１１を消灯し、自動取引装置が使用可の状態である場合は光源１１を点灯させる制御を行う。使用不可の状態の場合に光源１１を消灯すると、操作表示部４を離れた場所から見た場合に邪魔となっていた光源１１からの光がなくなるため、離れた場所からでも（斜め方向からでも）表示内容が見える。使用不可の場合に表示部１２で「準備中」や「取扱中止」等の使用不可の旨の表示がされていれば、離れた場所から操作表示部４を見た利用者は、自動取引装置が使用不可であることが分かる。
【０１０８】
また、制御部２は、自動取引装置の状態に応じて、光源１１から照射する光の色を制御することも出来る。例えば、光源１１が、赤色、緑色、青色の各色に発光する蛍光体膜をそれぞれ備えた複数の光源から成る場合、制御部２は、各光源から照射する光を制御することで、操作表示部４の発光色を制御する。
【０１０９】
＜８．第７の実施形態＞
次に、本発明の第７の実施形態に係る自動取引装置１ｂについて説明する。まず、操作表示部４の見え方は周囲照度から影響を受けることについて比較例を用いて述べる。
【０１１０】
［比較例２］
図２０Ａは、比較例に係る操作表示部１０１の断面図である。図２０Ａの破線で示すように、表示部１０４からの光は、遮光フィルタ１０３から多少漏れる。このとき、周囲の光も保護板１０２を反射し、視点Ｃに届く。ここで、視点Ｃに届く、遮光フィルタ１０３から漏れた光は、反射した周囲の光の方が高ければ相殺される。したがって、周囲照度が高い場合、視点Ｃからは表示部１０４の表示内容が見えず、視点Ｃから見える操作表示部１０１は図２０Ｃに示すように暗い。
【０１１１】
一方、周囲照度が低い場合は、表示部１０４の表示内容が見えやすい。以下、この点について図２０Ｂを参照して説明する。図２０Ｂは、比較例に係る操作表示部１０１の断面図である。保護板１０２を反射して視点Ｃに届く周囲の光が、表示部１０４から照射されて遮光フィルタから漏れる光より輝度が低い場合は、上記光の相殺が生じない。したがって、図２０Ｂに示す視点Ｃから見える操作表示部１０１は、図２０Ｄに示すように、表示内容が透けて見える。
【０１１２】
このように、比較例に係る操作表示部１０１は、特に周囲照度が低い場合に、表示内容が見えやすいという問題を生じる。
【０１１３】
上記第２から第４の実施形態では、光源１１からの光がより多く透過層１０の表面１５から斜め方向に出射するよう構成される。したがって、斜め方向への表示部１２からの光は、光源１１からの光により相殺される。このため、周囲照度が低い環境でも、斜め方向への表示部１２からの光を相殺させることが出来る。
【０１１４】
このように、上記各実施形態においても、周囲照度が低い環境で斜め方向への表示部１２からの光を相殺させることが可能であるが、以下に説明する本実施形態では、周囲照度に応じて光源１１の輝度を調整することで、より効果的に、表示部１２を見え難くすることが出来る。
【０１１５】
本実施形態に係る自動取引装置１ｂの構成について図２１に示すブロック図を参照して説明する。図２１に示すように、自動取引装置１ｂは、照度検知部２２、輝度調整部２３、光源１１から構成される。照度検知部２２は、操作表示部近傍の照度を検知する。
【０１１６】
輝度調整部２３は、照度検知部２２の検知結果に応じて、光源１１から照射する光の輝度を調整する。例えば、操作表示部４近傍の照度が低い場合は、光源１１から照射する光の輝度をより高くする。また、自動取引装置１ｂは、周囲照度の値に対して光源１１の輝度がどの程度の値であれば、斜め方向への光源１１の輝度が高くなるかを対応付けた対応表を予め記憶しておいてもよい。輝度調整部２５は、検知結果と、予め記憶した対応表とを参照して、光源１１から照射する光の輝度を調整してもよい。
【０１１７】
＜９．第８の実施形態＞
次に、本発明の第８の実施形態に係る自動取引装置１ｃについて説明する。上記第７の実施形態で述べたように、ある視点に届く表示部１２からの光と、光源１１からの光とのうち、光源１１からの光の輝度の方が高ければ、表示部１２からの光は相殺され、表示部１２の表示内容は見え難い。つまり、表示部１２からの光の輝度と、光源１１からの光の輝度とを調整することにより、表示部１２の視野角を制御することが出来る。
【０１１８】
表示部１２の視野角の調整について図２２および図２３を参照して説明する。図２２は、本実施形態に係る操作表示部の断面図である。本実施形態では、図２２に示す表示部１２からの視野角θ１を、より狭い角度、視野角θ２に制御する場合を一例として説明する。
【０１１９】
図２３は、本実施形態に係る自動取引装置１ｃのブロック構成図である。図２３に示すように、自動取引装置１ｃは、受付部２４、輝度調整部２５、光源１１、表示部１２から構成される。受付部２４は、表示部１２の視野角の広さを調整する指示を受け付ける。例えば、現在の視野角よりも広くする／狭くする旨の指示を受け付ける。輝度調整部２４は、受付部２４で受け付けた指示に応じて、光源１１および表示部１２の少なくともいずれかの輝度を調整し、表示部１２の視野角を制御する。
【０１２０】
例えば、現在の視野角が図２２に示すθ１の場合に、表示部１２の視野角をより狭くする旨の指示を受付部２４で受け付けた場合は、輝度調整部２５は、光源１１の輝度をより高くする調整、若しくは／及び表示部１２の輝度をより低くする調整を行い、視野角をθ２に制御する。
【０１２１】
＜１０．まとめ＞
以上説明したように、本発明の実施形態は、表示部１２と、光源１１と、透過層１０とを備え、光源１１は透過層１０の端部に設けられ、光源１１からの光が透過層１０の表面から出射する。これにより、離れた場所にいる利用者からは表示部１２の表示内容は見え難いが、透過層１０の表面が発光していることは認識できるので、利用者は離れた場所からでも自動取引装置１が動作中であることが分かる。
【０１２２】
また、透過層１０に表面や裏面に凹凸を設けたり、透過層１０を屈折率の異なる多層で構成したりすることで、光源１１からの光をより多く表面から出射することも可能である。
【０１２３】
また、透過層１０と表示部１２との間に、反射部を設けられることで、透過層１０から表示部１２側に出射した光を反射させて、光源１１からの光をより多く透過層１０の表面から出射させることが出来る。
【０１２４】
また、表示内容とは別の表示を操作表示部４から離れた場所に居る利用者に見えるようにすることで、自動取引装置１が正常状態であることを利用者に認識させることが出来る。
【０１２５】
また、自動取引装置１の装置状態に応じて光源１１を制御することで、離れた場所に居る利用者が自動取引装置１の装置状態をより確実に把握することが可能である。
【０１２６】
また、周囲照度に応じて光源１１の輝度を調整することで、より効果的に、表示部１２の表示内容を見え難くすることも可能である。
【０１２７】
また、表示部１２からの光の輝度と、光源１１からの光の輝度との少なくともいずれかを調整することにより、表示部１２の視野角を制御することも可能である。
【０１２８】
以上、添付図面を参照しながら本発明の好適な実施形態について詳細に説明したが、本発明はかかる例に限定されない。本発明の属する技術の分野における通常の知識を有する者であれば、特許請求の範囲に記載された技術的思想の範疇内において、各種の変更例または修正例に想到し得ることは明らかであり、これらについても、当然に本発明の技術的範囲に属するものと了解される。
【０１２９】
例えば、上記第１の実施形態の説明において、光源１１は図７に示すように４本備えるとしたが、本発明はかかる例に限定されない。また、光源１１の形状も、図７に示すような円柱形状に限定されない。
【符号の説明】
【０１３０】
１、１Ａ〜１Ｎ、１ａ、１ｂ、１ｃ    自動取引装置
２    通信回線
３    ホストコンピュータ
４    操作表示部
１０、３０、１１０〜１１７    透過層
１１、３１    光源
１２    表示部
１３    半透過シート
１４    遮光フィルタ
１５    表面
１６０、１６Ｃ、１６Ｄ    傾斜領域
１６１    傾斜面
１６２    三角錐
１７０、１７２、１７４、１７５    水平領域
１７１    水平面
２０    装置状態判断部
２１    制御部
２２    照度検知部
２３、２５    輝度調整部
２４    受付部
１００    自動取引装置（比較例）
１０１    操作表示部（比較例）
１０２    保護板（比較例）
１０３    遮光フィルタ（比較例）
１０４    表示部（比較例）
【図１】
2012008700.tif 000003
【図２】
2012008700.tif 000004
【図３】
2012008700.tif 000005
【図４Ａ】
2012008700.tif 000006
【図４Ｂ】
2012008700.tif 000007
【図５Ａ】
2012008700.tif 000008
【図５Ｂ】
2012008700.tif 000009
【図６】
2012008700.tif 000010
【図７】
2012008700.tif 000011
【図８】
2012008700.tif 000012
【図９Ａ】
2012008700.tif 000013
【図９Ｂ】
2012008700.tif 000014
【図１０】
2012008700.tif 000015
【図１１Ａ】
2012008700.tif 000016
【図１１Ｂ】
2012008700.tif 000017
【図１２】
2012008700.tif 000018
【図１３Ａ】
2012008700.tif 000019
【図１３Ｂ】
2012008700.tif 000020
【図１４Ａ】
2012008700.tif 000021
【図１４Ｂ】
2012008700.tif 000022
【図１５】
2012008700.tif 000023
【図１６】
2012008700.tif 000024
【図１７】
2012008700.tif 000025
【図１８】
2012008700.tif 000026
【図１９】
2012008700.tif 000027
【図２０Ａ】
2012008700.tif 000028
【図２０Ｂ】
2012008700.tif 000029
【図２０Ｃ】
2012008700.tif 000030
【図２０Ｄ】
2012008700.tif 000031
【図２１】
2012008700.tif 000032
【図２２】
2012008700.tif 000033
【図２３】
2012008700.tif 000034